【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
高圧流体を受け入れる入口側から高圧流体タンクに連結される出口側に延びる流体通路、及び、該流体通路の壁面に該流体通路を囲むようにして設けられる弁座を有する筒状の高圧流体用管継手本体と、
該流体通路内に設定されて該弁座に対して係合・係合解除されて当該流体通路の開閉を行う弁部材と
を有する高圧流体用管継手部材であって、
該高圧流体用管継手本体は、第１筒状部材、及び、該第１筒状部材に対し、該第１筒状部材の該出口側から挿入されて固定される第２筒状部材を有し、
該第１筒状部材の内周面が、該入口側から該出口側に向けて延びて該流体通路の上流部分を画定する流体通路画定面と、該流体通路画定面の出口側端部縁から半径方向外側に延びる第１半径方向面と、該第１半径方向面よりも該出口側にあり該第１半径方向面の外周縁よりも大きい径で該流体通路の軸線に平行に延びる弁座設定面と、該弁座設定面の出口側端部縁から半径方向外側に延びる第２半径方向面と、該第２半径方向面の外周縁から該流体通路の軸線に平行に延びるシールリング設定面と、を有し、
該高圧流体用管継手部材が更に、
該弁座設定面に係合される上流側部分と該シールリング設定面に平行に延びる下流側部分とを有する筒状の外周面と、該外周面の入口側端部縁から半径方向内向きに延びる環状の入口側端面と、該外周面の出口側端縁から半径方向内向きに延びる環状の出口側端面と、該入口側端面及び出口側端面の間を延びる筒状の内周面とを有する弁座部材を有し、
該第２筒状部材が、該第１筒状部材の該シールリング設定面を接するように挿入された外周面を有する先端部分を有し、該先端部分の先端面が、該弁座部材の出口側端面に当接して、該弁座部材を第１筒状部材の第１半径方向面との間で保持するようにされており、
該第２筒状部材の先端面と、該シールリング設定面と、第２半径方向面と、該弁座部材の外周面とによって筒状のシールリング設定空間が形成され、該シールリングが該シールリング設定空間内に設定されて、該弁座部材の外周面及び該シールリング設定面に密封係合するようになされ、
該弁部材は、該弁座部材に係合して該流体通路を閉じるようになされており、
該第２筒状部材の該先端部分が、該流体通路の下流部分を画定している該第２筒状部材の内周面から、該先端部分を半径方向で貫通して、該第１筒状部材のシールリング設定面に接している該先端部分の外周面に至る連通孔を有していることを特徴とする高圧流体用管継手部材。
【請求項２】
該シールリング設定空間内において、該シールリングの該入口側及び該出口側に設定され、該弁座部材の外周面と該シールリング設定面との間で設定されるバックアップリングを有することを特徴とする請求項１に記載の高圧流体用管継手部材。
【請求項３】
該流体通路の軸線方向において該弁座部材と該第１半径方向面との間に設定される筒状の固定部材を有し、該弁座部材が該固定部材を介して該第１半径方向面と該第２筒状部材の先端面との間に当接固定されるようにしたことを特徴とする請求項１若しくは２に記載の高圧流体用管継手部材。
【請求項４】
該弁座部材に接する該固定部材の出口側端面が、該シールリング設定面に接して該弁座部材の該入口側端面の外周縁に当接する位置から、該入口側端面の内周縁を越えて半径方向内側の位置まで延び、該弁座部材の入口側端面の全面と当接するようにされていることを特徴とする請求項３に記載の高圧流体用管継手部材。
【請求項５】
該第１半径方向面が該弁座部材設定面よりも小さい直径とされ、該第１半径方向面の外周縁から該出口側に向けて該流体通路の軸線方向に平行に延びて、該固定部材が嵌合される固定部材設定面と、該固定部材設定面から該弁座部材設定面に向けて傾斜する環状傾斜面とを有し、該固定部材は、その外周面が、該固定部材設定面に接する上流側面、及び、該上流側面より該出口側にあって該弁座部材設定面に接する下流側面を有し、該上流側面には、その入口側端部縁及び出口側端部縁の中間位置に設けられた環状のシールリング嵌合溝を有し、該シールリング嵌合溝にシールリングが設定されて、該固定部材設定面に密封係合するようにされていることを特徴とする請求項４に記載の高圧流体用管継手部材。
【請求項６】
該固定部材が、該固定部材の外周面から該流体通路まで至る封入圧除去手段を有することを特徴とする請求項５に記載の高圧流体用管継手部材。
【請求項７】
該封入圧除去手段が、第１半径方向面に当接される該固定部材の入口側端部面に設けられた溝とされていることを特徴とする請求項６に記載の高圧流体用管継手部材。
【請求項８】
該固定部材に固定されたフィルタを有し、該フィルタは該流体通路内を該入口側に延びる筒状フィルタ部分と該筒状フィルタ部分の入口側端面を覆うように設定される端面フィルタ部分とを有することを特徴とする請求項３乃至５のいずれかに記載の高圧流体用管継手部材。
【手続補正２】
【補正対象書類名】明細書
【補正対象項目名】０００６
【補正方法】変更
【補正の内容】
【０００６】
すなわち、本発明は、
高圧流体を受け入れる入口側から高圧流体タンクに連結される出口側に延びる流体通路、及び、該流体通路の壁面に該流体通路を囲むようにして設けられる弁座を有する筒状の高圧流体用管継手本体と、
該流体通路内に設定されて該弁座に対して係合・係合解除されて当該流体通路の開閉を行う弁部材と
を有する高圧流体用管継手部材であって、
該高圧流体用管継手本体は、該入口側から該出口側に向けて延びる第１筒状部材、及び、該第１筒状部材に対し、該第１筒状部材の該出口側から挿入されて固定される第２筒状部材を有し、
該第１筒状部材の内周面が、該入口側から該出口側に向けて延びて該流体通路の上流部分を画定する流体通路画定面と、該流体通路画定面の出口側端部縁から半径方向外側に延びる第１半径方向面と、該第１半径方向面よりも該出口側にあり該第１半径方向面の外周縁よりも大きい径で該流体通路の軸線に平行に延びる弁座設定面と、該弁座設定面の出口側端部縁から半径方向外側に延びる第２半径方向面と、該第２半径方向面の外周縁から該流体通路の軸線に平行に延びるシールリング設定面と、を有し、
該高圧流体用管継手部材が更に、
該弁座設定面に係合される上流側部分と該シールリング設定面に平行に延びる下流側部分とを有する筒状の外周面と、該外周面の入口側端部縁から半径方向内向きに延びる環状の入口側端面と、該外周面の出口側端部端縁から半径方向内向きに延びる環状の出口側端面と、該入口側端面及び出口側端面の間を延びる内周面とを有する弁座部材を有し、
該第２筒状部材が、該第１筒状部材の該シールリング設定面を接するように挿入された外周面を有する先端部分を有し、該先端部分の先端面が、該弁座部材の出口側端面に当接して、該弁座部材を該第１筒状部材の該第１半径方向面との間で保持するようにされており、
該第２筒状部材の該先端面と、該シールリング設定面と、第２半径方向面と、該弁座部材の外周面とによって筒状のシールリング設定空間が形成され、該シールリングが該シールリング設定空間内に設定されて、該弁座部材の外周面及び該シールリング設定面に密封係合するようになされ、
該弁部材は、該弁座部材に係合して該流体通路を閉じるようになされており、
該第２筒状部材の該先端部分が、該流体通路の下流部分を画定している該第２筒状部材の内周面から、該先端部分を半径方向で貫通して、該第１筒状部材のシールリング設定面に接している該先端部分の外周面に至る連通孔を有していることを特徴とする高圧流体用管継手部材を提供する。
【手続補正３】
【補正対象書類名】明細書
【補正対象項目名】００１６
【補正方法】変更
【補正の内容】
【００１６】
より具体的には、
該第１半径方向面が該弁座部材設定面よりも小さい直径とされ、該第１半径方向面の外周縁から該出口側に向けて該流体通路の軸線方向に平行に延びて、該固定部材が嵌合される固定部材設定面と、該固定部材設定面から該弁座部材設定面に向けて傾斜する環状傾斜面とを有し、該固定部材は、その外周面が、該固定部材設定面に接する上流側面、及び、該上流側面より該出口側にあって該弁座部材設定面に接する下流側面を有し、該上流側面には、その入口側端部縁及び出口側端部縁の中間位置に設けられた環状のシールリング嵌合溝を有し、該シールリング嵌合溝にシールリングが設定されて、該固定部材設定面に密封係合するようにすることができる。